【事件の表示】
　平成　７年特許願第３４２７８７号「スペクトラム拡散通信装置」拒絶査定不服審判事件〔平成　９年　３月２８日出願公開、特開平　９−　８３４８７〕について、次のとおり審決する。
【結　論】
　本件審判の請求は、成り立たない。
【理　由】
１．手続の経緯・本願発明
　本願は、平成７年１２月２８日の出願であって、平成１５年３月３１日付けで拒絶査定がなされ、これに対して、平成１５年５月８日に拒絶査定に対する審判請求がなされたものである。その請求項２に係る発明は、平成１５年３月１８日付け手続補正書により補正された明細書及び図面の記載からみて、その特許請求の範囲の請求項２に記載された事項により特定される次のとおりのものと認める。
　
「復調部に表面弾性波マッチドフィルタと、遅延量がそれぞれＴ＋（±ｎ＋ａ／８）／ｆｃ、Ｔ＋（±ｍ−ａ／８）／ｆｃ（Ｔは受信・復調する信号の一周期、ｎ、ｍは表面弾性波マッチドフィルタに入力する信号のキャリア周波数ｆｃと符号化電極の各符号に対応する櫛形電極対間隔から決まる周波数即ちチップレートとの比に２を掛けた値以下の自然数、１／２≦ａ≦３／２）である二つの表面弾性波遅延線と、前記表面弾性波マッチドフィルタの出力信号と前記表面弾性波遅延線の出力信号とを積算する積算回路とを有することを特徴とするスペクトラム拡散通信装置。」（以下、「本願発明」という。）
　
２．引用例に記載された発明
　これに対して、原審における拒絶の理由に引用した特開平１−１０５６１０号公報（以下、「引用例」という。）には、以下の事項が記載されている。
　
イ）「２．特許請求の範囲
１．デジタル変復調回路に用いられる弾性表面波装置において，該弾性表面波装置内を伝播する信号に変復調データの１ビット相当分の時間の遅延を施すと同時に，±（２ｎ−１）π／４（ｎ＝１，２，３…）なる位相遅延を施すように交叉指状電極を配置した第１の入出力端子対と，第１の入出力端子対の遅延とは互いに位相が±π／２異なる遅延を施すように交叉指状電極を配置した第２の入出力端子対とを有することを特徴とする弾性表面波装置」（第１頁左下欄第４行〜第１３行）
　
ロ）「第２図は従来のＢＰＳＫ変調回路の構成例である。ＳＡＷ装置１には４つの交叉指状電極（以下ＩＤＴと略す）ＩＤＴ１０１とＩＤＴ１０２とＩＤＴ１０３とＩＤＴ１０４とが設けられており，ＩＤＴ１０１とＩＤＴ１０３とで第１の入出力端子対を構成し，この間をＳＡＷが伝播する。また同様に，ＩＤＴ１０２とＩＤＴ１０４とで第２の入出力端子対が構成されている。」（第１頁右下欄第１０行〜第１７行）
　
ハ）「第６図は，第１図に示した本発明によるＳＡＷ装置を用いたＱＰＳＫ遅延検波復調回路の構成例である。入力されたＱＰＳＫ変調波信号２４は４分配され，入力側のＩＤＴ１０１とＩＤＴ１０２とに加えられると同時にミキサ回路２とミキサ回路３とにも加えられる。ＩＤＴ１０１とＩＤＴ１０２とに各々加えられた信号はデータ１ビット分の遅延を受けさらに互いにπ／２位相の異なる信号となって各々出力側のＩＤＴ１０３とＩＤＴ１０４とから出力される。この出力をミキサ回路２とミキサ回路３とで各々ＱＰＳＫ変調波信号２４とミキシングすると遅延検波が行なわれデータ信号が各々復調される。またローパスフィルタ２７はミキサ回路２およびミキサ回路３とで生成された高周波成分を除去するために設けられている。このようにしてローパスフィルタ２７の出力には各々遅延検波によって復調されたデータ信号２５とこれに直交する成分であるデータ信号２６とが得られる。」（第３頁右上欄第１５行〜左下欄第１２行）
　
　以上の記載を総合し、技術常識を考慮すると、引用例には、以下の発明が記載されていると認められる。
　
「ＱＰＳＫ変調波信号２４は４分配され、入力側のＩＤＴ（交叉指状電極）１０１とＩＤＴ（交叉指状電極）１０２とに加えられると同時にミキサ回路２とミキサ回路３とに加えられ、ＩＤＴ１０１とＩＤＴ１０２に各々加えられた信号は、データ１ビット分の遅延を受け、さらに互いにπ／２位相の異なる信号となって各々出力側のＩＤＴ１０３とＩＤＴ１０４から出力される弾性表面波装置と、該ＱＰＳＫ入力信号と前記弾性表面波装置の出力信号をミキサ回路２とミキサ回路３でミキシングし、遅延検波を行うＱＰＳＫ遅延検波復調回路」（以下、「引用例に記載された発明」という。）
　
　原審における拒絶の理由に引用した特開平３−７７４４５号公報（以下、「周知例」という。）には、以下の事項が記載されている。
イ）「１．弾性表面波素子よりなるマッチドフィルタ及び遅延線とこれらマッチドフィルタ及び遅延線の各出力を受ける積回路とからなるスペクトル拡散信号用復調装置において、圧電基板上に所定間隔を存して入力用電極、中間電極及び出力用電極を設け、前記入力用電極及び中間電極により前記マッチドフィルタを構成し、前記中間電極及び出力用電極により前記遅延線を構成したことを特徴とするスペクトル拡散通信用復調装置」（第１頁左下欄第５行〜第１３行）
　
　周知例によれば、「スペクトラム拡散信号を受信し、弾性表面波マッチドフィルタにおいて、マッチドフィルタの出力と、マッチドフィルタの出力を弾性表面波で遅延させた出力を積回路で遅延検波して、復調を行うスペクトラム拡散通信装置」は、周知である。
　
３．対比
　そこで、本願発明と引用例に記載された発明とを対比する。
　引用例に記載された発明の「ＱＰＳＫ遅延検波復調回路」は、本願発明の「復調部」に相当する。　　　　　　　　　
　引用例に記載された発明の「表面弾性波装置」は、遅延をさせており、本願発明の「表面弾性波遅延線」に相当する。
　引用例に記載された発明の「ＱＰＳＫ変調波信号を互いにπ／２位相の異なる信号とする」ことと本願発明の「遅延量がそれぞれＴ＋（±ｎ＋ａ／８）／ｆｃ、Ｔ＋（±ｍ−ａ／８）／ｆｃ」とすることは、本願発明のＴ＋（±ｎ＋ａ／８）／ｆｃ、Ｔ＋（±ｍ−ａ／８）／ｆｃの遅延量を与えるのは、ＱＰＳＫ信号を復調するために、２つの信号の位相差をπ／２とするためであるので、両者は、「遅延量の差をπ／２にする」点で、一致する。
　引用例に記載された発明の「該ＱＰＳＫ入力信号と前記弾性表面波装置の出力信号をミキサ回路２とミキサ回路３でミキシングし、遅延検波を行う」ことと本願発明の「前記表面波マッチドフィルタの出力信号と前記表面弾性波遅延線の出力信号とを積算する積算回路」は、ミキサ回路は積算回路であるから、引用例に記載された発明では、ＱＰＳＫ入力信号であり、本願発明では、表面弾性波マッチドフィルタの出力信号との違いはあるが、「信号と前記表面弾性波遅延線の出力信号とを積算する積算回路」の点で、一致する。
　引用例に記載された発明の「ＱＰＳＫ遅延検波復調回路」と本願発明の「スペクトラム拡散通信装置」は、「通信装置」の点で、一致する。
　
　してみると、両者は、「復調部に、遅延量の差をπ／２にする二つの表面弾性波遅延線と、信号と前記表面弾性波遅延線の出力信号とを積算する積算回路とを有する通信装置。」の点で、一致し、以下の点で、相違する。
　
相違点　本願発明が、表面弾性波マッチドフィルタと遅延量がそれぞれＴ＋（±ｎ＋ａ／８）／ｆｃ、Ｔ＋（±ｍ−ａ／８）／ｆｃ（Ｔは受信・復調する信号の一周期、ｎ、ｍは表面弾性波マッチドフィルタに入力する信号のキャリア周波数ｆｃと符号化電極の各符号に対応する櫛形電極対間隔から決まる周波数即ちチップレートとの比に２を掛けた値以下の自然数、１／２≦ａ≦３／２）である二つの表面弾性波遅延線と、前記表面弾性波マッチドフィルタの出力信号と前記表面弾性波遅延線の出力信号とを積算するスペクトラム拡散装置であるのに対して、引用例に記載された発明では、ＱＰＳＫ変調波信号と表面弾性波遅延線の出力信号とを積算するＱＰＳＫ遅延検波復調回路である点で、相違する。
　
４．判断
　上記相違点について検討する。
　「スペクトラム拡散信号を受信し、弾性表面波マッチドフィルタにおいて、マッチドフィルタの出力と、マッチドフィルタの出力を弾性表面波で遅延させた出力を積回路で遅延検波して、復調を行うスペクトラム拡散通信装置」は、周知例に示されるように周知であり、引用例に記載された発明も本願発明も、表面弾性波遅延線の遅延量の差をπ／２にするように、遅延量を決めており、実際の遅延線の遅延量は、弾性表面波素子の櫛形電極対間隔、キャリア周波数、チップレート等の種々の特性、設計値に応じて、適宜決めることで、遅延量の差がπ／２となるように、遅延量を各々、Ｔ＋（±ｎ＋ａ／８）／ｆｃ、Ｔ＋（±ｍ−ａ／８）／ｆｃとすることは、当業者が適宜設定する設計的事項に過ぎないものであるから、引用例に記載された発明において、表面弾性波マッチドフィルタと遅延量がそれぞれＴ＋（±ｎ＋ａ／８）／ｆｃ、Ｔ＋（±ｍ−ａ／８）／ｆｃ（Ｔは受信・復調する信号の一周期、ｎ、ｍは表面弾性波マッチドフィルタに入力する信号のキャリア周波数ｆｃと符号化電極の各符号に対応する櫛形電極対間隔から決まる周波数即ちチップレートとの比に２を掛けた値以下の自然数、１／２≦ａ≦３／２）である二つの表面弾性波遅延線と、前記表面弾性波マッチドフィルタの出力信号と前記表面弾性波遅延線の出力信号とを積算するスペクトラム拡散装置とすることは、当業者が容易になし得ることと認められる。
　　　　　　
５．むすび
　以上のとおりであるから、本願発明は、引用例に記載された発明及び周知例に記載された周知技術に基づいて、当業者が容易に発明をすることができたものであるから、特許法第２９条第２項の規定により特許を受けることができない。
　
　よって、結論のとおり審決する。